(57)【要約】【課題】移動体端末において情報が必要なときに，情報が必要な場所で，必要な情報を簡便に取得可能とする。【解決手段】移動体端末１の押下検出手段１２がボタンの押下を検出したときに，位置検出手段１１が移動体端末１の現在位置を検出して生成した現在位置情報を，端末通信手段１６がサーバ装置２に送信する。サーバ装置２の情報抽出手段２２は，受信した移動体端末１の現在位置の近傍の位置を表す位置情報が関連付けられた情報を記憶手段２１から抽出し，メッセージ抽出手段２４が，移動体端末１の現在位置の近傍の位置を表す入力位置情報が関連付けられたメッセージをメッセージ記憶手段２３から抽出し，サーバ通信手段２６が，抽出された情報およびメッセージを移動体端末１に送信する。【選択図】        図１
2004341758.tif 000002
【特許請求の範囲】
【請求項１】
サーバ装置に蓄積された情報を移動体端末に配信する情報配信システムにおいて，
前記移動体端末は，
該移動体端末の現在位置を検出し，検出した現在位置を少なくとも表す現在位置情報を生成する位置検出手段と，
前記サーバ装置に情報の配信を要求するトリガとなる信号を検出する検出手段と，
前記検出手段によってトリガとなる信号が検出されたときに前記移動体端末の現在位置情報を前記サーバ装置に送信する端末通信手段とを備え，
前記サーバ装置は，
前記移動体端末から送信された前記現在位置情報を受信するサーバ通信手段と，
複数の情報に位置情報をそれぞれ関連付けて記憶する記憶手段と，
前記現在位置情報と各情報に関連付けられた位置情報とに基づいて，前記移動体端末の現在位置の近傍の位置を表す位置情報が関連付けられた情報を，前記記憶手段に記憶された情報の中から抽出する情報抽出手段とを備え，
前記サーバ装置は，前記情報抽出手段によって抽出された情報を，前記現在位置情報を送信した移動体端末に前記サーバ通信手段によって送信する
ことを特徴とする情報配信システム。
【請求項２】
請求項１に記載の情報配信システムにおいて，
前記移動体端末は，メッセージを入力する情報入力手段を備え，
前記位置検出手段は，前記メッセージが入力されたときの現在位置を少なくとも表す入力位置情報を生成し，
前記端末通信手段は，前記入力位置情報と前記メッセージとを前記サーバ装置に送信し，
前記サーバ装置は，
前記移動体端末によって送信された複数のメッセージと，各メッセージとともに送信された前記入力位置情報とをそれぞれ関連付けて記憶するメッセージ記憶手段と，
前記現在位置情報と各メッセージに関連付けられた入力位置情報とに基づいて，前記現在位置情報を送信した移動体端末の現在位置の近傍の位置を表す入力位置情報が関連付けられたメッセージを，前記メッセージ記憶手段に記憶されたメッセージの中から抽出するメッセージ抽出手段とを備え，
前記サーバ装置は，前記メッセージ抽出手段によって抽出されたメッセージを前記現在位置情報を送信した移動体端末に前記サーバ通信手段によって送信する
ことを特徴とする情報配信システム。
【請求項３】
請求項２に記載の情報配信システムにおいて，
前記移動体端末は，
前記位置検出手段によって検出された現在位置に基づいて，該移動体端末が辿った経路を表す経路情報を生成する経路情報生成手段を備え，
前記端末通信手段は，前記現在位置情報を送信するときに前記現在位置情報とともに前記経路情報を送信し，前記入力位置情報および前記メッセージを送信するときに前記入力位置情報および前記メッセージとともに前記経路情報を送信し，
前記メッセージ記憶手段は，前記移動体端末によって送信された複数のメッセージと各メッセージとともに送信された前記入力位置情報と経路情報とを関連付けて記憶し，
前記メッセージ抽出手段は，前記現在位置情報および前記経路情報と各メッセージに関連付けられた入力位置情報および経路情報とに基づいて，前記現在位置情報によって表される位置の近傍の位置を表す入力位置情報が関連付けられ，かつ，前記現在位置情報とともに送信された経路情報によって表される経路と類似の経路を表す経路情報が関連付けられたメッセージを前記メッセージ記憶手段に記憶されたメッセージの中から抽出する
ことを特徴とする情報配信システム。
【請求項４】
請求項１から請求項３までのいずれか１項に記載の情報配信システムにおいて，
前記サーバ装置に情報の配信を要求するトリガとなる信号を検出する検出手段は，利用者に押下させるために前記移動体端末に設けられたボタンの押下を検出する手段である
ことを特徴とする情報配信システム。
【請求項５】
サーバ装置に蓄積された情報を移動体端末に配信する情報配信システムにおける情報配信方法であって，
前記移動体端末が，該移動体端末の現在位置を検出し，検出した現在位置を少なくとも表す現在位置情報を生成するステップと，
前記移動体端末が，前記サーバ装置に情報の配信を要求するトリガとなる信号を検出するステップと，
前記移動体端末が，前記トリガとなる信号を検出したときに前記移動体端末の現在位置情報を前記サーバ装置に送信するステップと，
前記サーバ装置が，前記移動体端末から送信された前記現在位置情報を受信するステップと，
前記サーバ装置が，複数の情報に位置情報をそれぞれ関連付けて記憶するステップと，
前記サーバ装置が，前記現在位置情報と各情報に関連付けられた位置情報とに基づいて前記移動体端末の現在位置の近傍の位置を表す位置情報が関連付けられた情報を前記記憶された情報の中から抽出するステップと，
前記サーバ装置が，前記抽出された情報を前記現在位置情報を送信した移動体端末に送信するステップとを有する
ことを特徴とする情報配信方法。
【請求項６】
請求項５に記載の情報配信方法において，
前記移動体端末が，メッセージを入力するステップと，
前記位置検出手段が，前記メッセージが入力されたときの現在位置を少なくとも表す入力位置情報を生成するステップと，
前記端末通信手段が，前記入力位置情報と前記メッセージとを前記サーバ装置に送信するステップと，
前記サーバ装置が，前記移動体端末によって送信された複数のメッセージと各メッセージとともに送信された前記入力位置情報とをそれぞれ関連付けて記憶するステップと，
前記サーバ装置が，前記現在位置情報と各メッセージに関連付けられた入力位置情報とに基づいて，前記現在位置情報を送信した移動体端末の現在位置の近傍の位置を表す入力位置情報が関連付けられたメッセージを前記記憶されたメッセージの中から抽出するステップと，
前記サーバ装置が，前記抽出されたメッセージを前記現在位置情報を送信した移動体端末に送信するステップとを有する
ことを特徴とする情報配信方法。
【請求項７】
請求項６に記載の情報配信方法において，
前記移動体端末が，前記検出された移動体端末の現在位置に基づいて，該移動体端末が辿った経路を表す経路情報を生成するステップと，
前記移動体端末が，前記現在位置情報を送信するときに前記現在位置情報とともに前記経路情報を送信し，前記入力位置情報および前記メッセージを送信するときに前記入力位置情報および前記メッセージとともに前記経路情報を送信するステップと，
前記サーバ装置が，前記移動体端末によって送信された複数のメッセージと各メッセージとともに送信された前記入力位置情報と経路情報とを関連付けて記憶するステップと，
前記サーバ装置が，前記現在位置情報および前記経路情報と各メッセージに関連付けられた入力位置情報および経路情報とに基づいて，前記現在位置情報によって表される位置の近傍の位置を表す入力位置情報が関連付けられ，かつ，前記現在位置情報とともに送信された経路情報によって表される経路と類似の経路を表す経路情報が関連付けられたメッセージを前記記憶されたメッセージの中から抽出するステップとを有する
ことを特徴とする情報配信方法。
【発明の詳細な説明】
【０００１】
【発明の属する技術分野】
本発明は，情報配信システムに関し，特に，サーバ装置側で情報が発信された場所に応じて情報を分類して移動体端末に情報を配信する情報配信システムに関するものである。
【０００２】
【従来の技術】
従来，この種の情報配信システムは，複数の移動体端末とサーバ装置とを備え，情報を発信する移動体端末は，所定の情報とともに現在位置を表す情報をサーバ装置に発信し，サーバ装置は，現在位置を表す情報に応じて地域別または地点別に所定の情報を分類するようになっている。
【０００３】
情報を取得する移動体端末は，サーバ装置にアクセスし，情報を取得したい地域または地点を選択し，サーバ装置は，選択された地域または地点に関連する情報を移動体端末に送信するようになっている。
【０００４】
このように構成された情報配信システムにおいて，ユーザは，選択した地域または地点に関連する情報であって，発信側の現在位置を表す情報によって信憑性が担保された情報を取得することができる（例えば特許文献１または特許文献２参照）。
【０００５】
【特許文献１】
特開２００２−１３２６４７号公報
【特許文献２】
特開２００２−２９７４７４号公報
【０００６】
【発明が解決しようとする課題】
しかしながら，以上のような従来の情報配信システムでは，情報を取得する移動体端末において，特定の地域または地点に関連する情報の取得に際して，地域または地点を逐次選択しなくてはならないという手間がかかり，情報が必要なときに情報が必要な場所で必要な情報を簡便に取得することができないという問題があった。
【０００７】
本発明はこのような問題を解決するためになされたもので，移動体端末において情報が必要なときに情報が必要な場所で必要な情報を簡便に取得することができる情報配信システムを提供することを目的とする。
【０００８】
【課題を解決するための手段】
第１の本発明の情報配信システムは，サーバ装置に蓄積された情報を移動体端末に配信する情報配信システムにおいて，前記移動体端末は，現在位置を検出し現在位置を少なくとも表す現在位置情報を生成する位置検出手段と，利用者に押下させるためのボタンを有して前記ボタンが押下されたことを検出する押下検出手段と，前記押下検出手段によってボタンが押下されたことが検出されたときに前記現在位置情報を前記サーバ装置に送信する端末通信手段とを備え，前記サーバ装置は，前記移動体端末から送信された前記現在位置情報を受信するサーバ通信手段と，複数の情報に位置情報をそれぞれ関連付けて記憶する記憶手段と，前記現在位置情報と各情報に関連付けられた位置情報とに基づいて前記移動体端末の現在位置の近傍の位置を表す位置情報が関連付けられた情報を前記記憶手段に記憶された情報の中から抽出する情報抽出手段とを備え，前記サーバ装置は，前記情報抽出手段によって抽出された情報を前記現在位置情報を送信した移動体端末に送信する構成を有している。
【０００９】
この構成により，移動体端末においてユーザが一つの専用のボタンを押下するだけで，現在位置情報がサーバ装置に送信され，移動体端末の現在位置の近傍の場所に関連する情報が移動体端末に配信される。このため，ユーザは，位置している場所の情報を取得したいときに，地域または地点を逐次選択せずにボタンを押すだけでよいため，情報が必要なときに情報が必要な場所で必要な情報を簡便に取得することができる。
【００１０】
また，第２の本発明の情報配信システムは，第１の本発明の情報配信システムにおいて，前記移動体端末は，利用者にメッセージを入力させる情報入力手段を備え，前記位置検出手段は，前記メッセージが入力されたときの現在位置を少なくとも表す入力位置情報を生成し，前記端末通信手段は，前記入力位置情報と前記メッセージとを前記サーバ装置に送信し，前記サーバ装置は，前記移動体端末によって送信された複数のメッセージと各メッセージとともに送信された前記入力位置情報とをそれぞれ関連付けて記憶するメッセージ記憶手段と，前記現在位置情報と各メッセージに関連付けられた入力位置情報とに基づいて，前記現在位置情報を送信した移動体端末の現在位置の近傍の位置を表す入力位置情報が関連付けられたメッセージを前記メッセージ記憶手段に記憶されたメッセージの中から抽出するメッセージ抽出手段とを備え，前記サーバ装置は，前記メッセージ抽出手段によって抽出されたメッセージを前記現在位置情報を送信した移動体端末に送信する構成を有している。
【００１１】
この構成により，上述した第１の本発明の効果に加えて，さらに，サーバ装置によって配信されるものには，サーバ装置に予め記憶された情報だけでなく，それぞれ近傍の場所に位置しているまたは位置していた他の移動体端末によってサーバ装置に送信されたメッセージが含まれる。このため，それぞれ近傍の場所に位置しているまたは位置していたユーザ間のメッセージの交換を簡便に行うことができる。
【００１２】
また，第３の本発明の情報配信システムは，第２の本発明の情報配信システムにおいて，前記移動体端末は，前記位置検出手段によって検出された現在位置に基づいて前記移動体端末が辿った経路を表す経路情報を生成する経路情報生成手段を備え，前記端末通信手段は，前記現在位置情報を送信するときに前記現在位置情報とともに前記経路情報を送信し，前記入力位置情報および前記メッセージを送信するときに前記入力位置情報および前記メッセージとともに前記経路情報を送信し，前記メッセージ記憶手段は，前記移動体端末によって送信された複数のメッセージと各メッセージとともに送信された前記入力位置情報と経路情報とを関連付けて記憶し，前記メッセージ抽出手段は，前記現在位置情報および前記経路情報と各メッセージに関連付けられた入力位置情報および経路情報とに基づいて，前記現在位置情報によって表される位置の近傍の位置を表す入力位置情報が関連付けられ，かつ，前記現在位置情報とともに送信された経路情報によって表される経路と類似の経路を表す経路情報が関連付けられたメッセージを，前記メッセージ記憶手段に記憶されたメッセージの中から抽出する構成を有している。
【００１３】
この構成により，上述した第２の本発明の効果に加えて，さらに，サーバ装置によって配信されるものに，類似した経路を辿って移動したまたは移動している他の移動体端末によってサーバ装置に送信されたメッセージが含まれる。このため，それぞれ類似した経路を辿って移動したまたは移動しているユーザ間の情報の交換を行わせることができ，娯楽性および利便性を向上させることができる。
【００１４】
【発明の実施の形態】
以下，本発明の実施の形態について，図面を参照して説明する。
【００１５】
〔第１の実施の形態〕
図１は，本発明の第１の実施の形態の情報配信システムの構成を示す図である。図１に示すように，本発明の第１の実施の形態の情報配信システムは，複数の移動体端末１とサーバ装置２とを備えており，移動体端末１とサーバ装置２は，ネットワーク３を介して通信可能に接続されている。なお，移動体端末１とネットワーク３との間の通信は，無線によって行われる。
【００１６】
移動体端末１は，位置検出手段１１と，押下検出手段１２と，情報入力手段１３と，端末制御手段１４と，表示手段１５と，端末通信手段１６とを備えている。また，サーバ装置２は，記憶手段２１と，情報抽出手段２２と，メッセージ記憶手段２３と，メッセージ抽出手段２４と，サーバ制御手段２５と，サーバ通信手段２６とを備えている。
【００１７】
位置検出手段１１は，端末制御手段１４からの制御信号に応じて移動体端末１の現在位置を検出し，現在位置情報または入力位置情報を生成する。なお，位置検出手段１１は，例えば，ＧＰＳ（Ｇｌｏｂａｌ  Ｐｏｓｉｔｉｏｎｉｎｇ  Ｓｙｓｔｅｍ  ）方式に基づいて現在位置を検出する。なお，現在位置情報および入力位置情報とは，移動体端末１が位置している場所の緯度および経度を表す情報のことをいう。
【００１８】
押下検出手段１２は，ユーザに押下させるためのボタンを有して，ボタンが押下されたか否かを検出する。なお，前述したボタンは，ユーザが移動体端末１に現在位置を検出させ，サーバ装置２からの情報の配信を要求するための専用のボタンである。
【００１９】
ここで，前述したボタンは，表示手段１５にＧＵＩ（Ｇｒａｐｈｉｃａｌ  Ｕｓｅｒ  Ｉｎｔｅｒｆａｃｅ）を表示することによって実現されてもよい。また，ユーザが移動体端末１に現在位置を検出させ，サーバ装置２からの情報の配信を要求するためのユーザインタフェースは，ボタンには限定されず，何らかのトリガをユーザに入力させることのできるものであればよく，その様態は限定されない。ユーザがワンタッチで移動体端末１にトリガを与えることができるものであることが望ましい。
【００２０】
情報入力手段１３は，ユーザにメッセージを入力させる手段である。なお，前述したメッセージは，テキストでもよいし，画像，映像または音声などでもよい。情報入力手段１３は，ユーザにメッセージの入力の開始，終了およびメッセージの送信を指示させるための手段を有していてもよい。また，情報入力手段１３は，表示手段１５にＧＵＩを表示させ，ＧＵＩに基づいてメッセージを入力するようになっていてもよい。
【００２１】
端末制御手段１４は，押下検出手段１２によってボタンが押下されたことが検出されたときに，位置検出手段１１に現在位置情報を生成させるための制御信号を出力する。また，端末制御手段１４は，情報入力手段１３を介してメッセージが入力されたときに，位置検出手段１１に入力位置情報を生成させるための制御信号を出力する。
【００２２】
また，端末制御手段１４は，位置検出手段１１によって生成された現在位置情報を端末通信手段１６を介してサーバ装置２に送信する。また，端末制御手段１４は，情報入力手段１３に入力されたメッセージと位置検出手段１１によって生成された入力位置情報とを端末通信手段１６を介してサーバ装置２に送信する。なお，端末制御手段１４は，移動体端末１を構成する他の手段の動作を制御するようにもなっている。
【００２３】
表示手段１５は，端末通信手段１６を介してサーバ装置２から受信した情報またはメッセージを表示する。
【００２４】
サーバ装置２の記憶手段２１は，複数の情報を記憶し，複数の情報に位置情報をそれぞれ関連付けて記憶する。なお，記憶手段２１が記憶する複数の情報とは，例えば，店舗の情報でもよいし，各種イベントの案内情報でもよく，サーバ装置２側で予め記憶された情報のことをいうが，ここで例示したものに限られるわけではない。
【００２５】
また，各情報に関連付けられている位置情報とは，例えば，情報が店舗の情報である場合には，店舗が位置する緯度および経度のことをいい，情報が各種イベントの案内情報である場合には，イベントが開催される場所の緯度および経度のことをいう。
【００２６】
情報抽出手段２２は，サーバ通信手段２６を介して受信した現在位置情報と記憶手段２１に記憶された各情報に関連付けられた位置情報とに基づいて移動体端末１の現在位置の近傍の位置を表す位置情報が関連付けられた情報を記憶手段２１に記憶された情報の中から抽出する。前述した移動体端末１の現在位置の近傍とは，移動体端末１の現在位置を中心とした予め決められた範囲のことをいい，この範囲は，サーバ装置２によって任意に決められてもよく，移動体端末１によって個別に決められてもよい。移動体端末１に現在位置の近傍の範囲を指定するユーザインタフェースを設ければ，例えば何メートル以内というように，ユーザが必要な近傍の範囲を随時決めることができるので好適である。
【００２７】
メッセージ記憶手段２３は，移動体端末１によって送信され，サーバ通信手段２６を介して受信したメッセージと，そのメッセージと同時に受信した入力位置情報とを関連付けて記憶するようになっている。メッセージ記憶手段２３は，各移動体端末１によって送信されたメッセージを順次記憶し，複数のメッセージを記憶する。
【００２８】
メッセージ抽出手段２４は，サーバ通信手段２６を介して受信した現在位置情報とメッセージ記憶手段２３に記憶された各メッセージに関連付けられた入力位置情報とに基づいて移動体端末１の現在位置の近傍の位置を表す入力位置情報が関連付けられたメッセージをメッセージ記憶手段２３に記憶された情報の中から抽出する。移動体端末１の現在位置の近傍とは，移動体端末１の現在位置を中心とした予め決められた範囲のことをいい，この範囲は，サーバ装置２によって任意に決められてもよく，移動体端末１によって個別に決められてもよい。
【００２９】
サーバ制御手段２５は，移動体端末１によって送信された現在位置情報をサーバ通信手段２６を介して受信したときに情報抽出手段２２およびメッセージ抽出手段２４に情報およびメッセージの抽出を行わせるよう制御する。
【００３０】
また，サーバ制御手段２５は，情報抽出手段２２またはメッセージ抽出手段２４によって抽出された情報またはメッセージをサーバ通信手段２６を介して現在位置情報を送信した移動体端末１に送信する。なお，サーバ制御手段２５は，サーバ装置２を構成する他の手段を制御するようになっている。
【００３１】
以下，図２に示したフローチャートに基づいて，本発明の第１の実施の形態の情報配信システムに係る移動体端末１で入力されたメッセージをサーバ装置２に記憶させる動作の流れについて説明する。
【００３２】
図２（Ａ）は，移動体端末１によるメッセージおよび入力位置情報の送信処理フローを示す図である。まず，移動体端末１において，情報入力手段１３を介してメッセージが入力され（Ｓ１），位置検出手段１１によって移動体端末１の現在位置が検出され（Ｓ２），位置検出手段１１によって入力位置情報が生成される（Ｓ３）。そして，情報入力手段１３を介して入力されたメッセージと位置検出手段１１によって生成された入力位置情報とが端末通信手段１６を介してサーバ装置２に送信される（Ｓ４）。
【００３３】
図２（Ｂ）は，サーバ装置によるメッセージおよび入力位置情報の記憶処理フローを示す図である。サーバ装置２において，移動体端末１によって送信されたメッセージおよび入力位置情報がサーバ通信手段２６を介して受信され（Ｓ１１），メッセージと入力位置情報とが関連付けられてメッセージ記憶手段２３に記憶される（Ｓ１２）。
【００３４】
以下，図３に示したフローチャートに基づいて，本発明の第１の実施の形態の情報配信システムに係るサーバ装置２に記憶された情報およびメッセージを移動体端末１に配信する動作の流れについて説明する。
【００３５】
図３（Ａ）は，移動体端末による現在位置情報の送信処理フローを示す図である。まず，移動体端末１において，ユーザによって押下検出手段１２が有するボタンが押下されたか否かが押下検出手段１２によって検出され（Ｓ２１），ユーザによって押下検出手段１２が有するボタンが押下されたときに，位置検出手段１１によって移動体端末１の現在位置が検出され（Ｓ２２），位置検出手段１１によって現在位置情報が生成される（Ｓ２３）。そして，端末通信手段１６を介して現在位置情報がサーバ装置２に送信される（Ｓ２４）。移動体端末１は，端末通信手段１６を介してサーバ装置２が抽出した情報およびメッセージを受信し，受信した情報およびメッセージを表示手段１５に表示する（Ｓ２５）。
【００３６】
図３（Ｂ）は，サーバ装置２による抽出した情報およびメッセージの送信処理フローを示す図である。サーバ装置２において，サーバ通信手段２６を介して現在位置情報が受信され（Ｓ３１），移動体端末１の現在位置の近傍の位置を表す位置情報が関連付けられた情報が記憶手段２１に記憶された情報の中から情報抽出手段２２によって抽出され，移動体端末１の現在位置の近傍の位置を表す入力位置情報が関連付けられたメッセージがメッセージ記憶手段２３に記憶されたメッセージの中からメッセージ抽出手段２４によって抽出される（Ｓ３２）。
【００３７】
そして，情報抽出手段２２およびメッセージ抽出手段２４によって抽出された情報およびメッセージがサーバ通信手段２６を介して現在位置情報を送信した移動体端末１に送信される（Ｓ３３）。移動体端末１では，前述したステップＳ２５において，端末通信手段１６を介して情報およびメッセージが受信され，受信され情報およびメッセージが表示手段１５に表示される。
【００３８】
以上説明したように本発明の第１の実施の形態の情報配信システムは，移動体端末１においてユーザがボタンを押下するだけで，現在位置情報がサーバ装置２に送信され，移動体端末１の現在位置の近傍の場所に関連する情報が移動体端末１に配信される。このため，ユーザは，位置している場所の情報を取得したいときに，地域または地点を逐次選択せずにボタンを押すだけでよいため，情報が必要なときに情報が必要な場所で必要な情報を簡便に取得することができる。
【００３９】
さらに，サーバ装置２によって配信されるものには，サーバ装置２に予め記憶された情報だけでなく，それぞれ近傍の場所に位置しているまたは位置していた他の移動体端末１によってサーバ装置２に送信されたメッセージが含まれる。このため，それぞれ近傍の場所に位置しているまたは位置していたユーザ間のメッセージの交換を簡便に行うことができる。
【００４０】
なお，上記本発明の第１の実施の形態の情報配信システムにおいて，移動体端末１は，ユーザによってボタンが押下されたときに現在位置情報をサーバ装置２に送信するようにしたが，所定時間が経過するごとに現在位置情報を送信して，所定時間が経過するごとにサーバ装置２に情報を配信させるように構成してもよい。
【００４１】
〔第２の実施の形態〕
図４は，本発明の第２の実施の形態の情報配信システムの構成を示す図である。図４に示すように，本発明の第２の実施の形態の情報配信システムは，複数の移動体端末４とサーバ装置５とを備えており，移動体端末４とサーバ装置５は，ネットワーク３を介して通信可能に接続されている。なお，移動体端末４とネットワーク３との間の通信は，無線によって行われる。
【００４２】
移動体端末４は，位置検出手段４２と，押下検出手段１２と，情報入力手段１３と，端末制御手段４３と，表示手段１５と，端末通信手段１６と，経路情報生成手段４１とを備えている。また，サーバ装置５は，記憶手段２１と，情報抽出手段２２と，メッセージ記憶手段２３と，メッセージ抽出手段５１と，サーバ制御手段２５と，サーバ通信手段２６とを備えている。
【００４３】
ここで，本発明の第２の実施の形態の情報配信システムを構成する構成手段のうち，上述した本発明の第１の実施の形態の情報配信システムにおける構成手段と同様の処理を行うものには同一の符号を付し，その説明を省略する。
【００４４】
位置検出手段４２は，上述した本発明の第１の実施の形態の情報配信システムに係る位置検出手段１１と同様に現在位置情報または入力位置情報を生成する。なお，現在位置情報および入力位置情報とは，移動体端末４が位置している場所の緯度および経度を表す情報のことをいう。
【００４５】
端末制御手段４３は，上述した本発明の第１の実施の形態の情報配信システムに係る端末制御手段１４の処理に加えて，押下検出手段１２によってボタンが押下されたことが検出されたとき，および，情報入力手段１３を介してメッセージが入力されたときに，経路情報生成手段４１に経路情報を生成させるための制御信号を出力する。
【００４６】
また，端末制御手段４３は，タイマーを有し，経路情報生成手段４１によって最後の経路情報が生成されてから所定時間が経過したときに，経路情報生成手段４１に経路情報を生成させるための制御信号を出力する。なお，上述した所定時間は，情報配信システムにおいて予め決められていてもよいし，移動体端末４によって個別に決められてもよい。
【００４７】
経路情報生成手段４１は，端末制御手段４３からの制御信号に応じて，位置検出手段４２に現在位置を検出させるよう制御し，移動体端末４が位置した場所を表す情報を蓄積することによって，移動体端末４が辿った経路を表す経路情報を生成し，端末制御手段４３からの制御信号が入力されるごとに，経路情報を更新する。なお，経路情報に含まれる移動体端末４が位置した場所を表す情報の個数は，情報配信システムにおいて予め決められていてもよいし，移動体端末４によって個別に決められてもよく，複数であればその数を限定されない。
【００４８】
サーバ装置５のメッセージ抽出手段５１は，サーバ通信手段２６を介して受信した現在位置情報および経路情報と，メッセージ記憶手段２３に記憶された各メッセージに関連付けられた入力位置情報および経路情報とに基づいて，現在位置情報によって表される位置の近傍の位置を表す入力位置情報が関連付けられ，かつ，現在位置情報とともに送信された経路情報によって表される経路と類似の経路を表す経路情報が関連付けられたメッセージをメッセージ記憶手段２３に記憶されたメッセージの中から抽出する。移動体端末４の現在位置の近傍とは，移動体端末４の現在位置を中心とした予め決められた範囲のことをいい，この範囲は，サーバ装置５によって任意に決められてもよく，移動体端末４によって個別に決められてもよい。また，経路の類似性の判定は，例えば，所定の評価関数によって求められる評価値が所定の閾値を超えているか否かに基づいて行われてもよい。
【００４９】
以下，図５に示したフローチャートに基づいて，本発明の第２の実施の形態の情報配信システムに係る移動体端末において経路情報を更新する動作の流れについて説明する。
【００５０】
まず，ユーザによって押下検出手段１２が有するボタンが押下されたか否かが押下検出手段１２によって検出され（Ｓ４１），ユーザによって押下検出手段１２が有するボタンが押下されたときに位置検出手段４２によって移動体端末４の現在位置が検出され（Ｓ４４），経路情報生成手段４１によって経路情報が更新され（Ｓ４５），処理がＳ４１に戻る。
【００５１】
一方，ユーザによって押下検出手段１２が有するボタンが押下されないときには，情報入力手段１３を介してユーザによってメッセージが入力されたか否かが端末制御手段４３によって検出され（Ｓ４２），情報入力手段１３を介してユーザによってメッセージが入力されたときに位置検出手段４２によって移動体端末４の現在位置が検出され（Ｓ４４），経路情報生成手段４１によって経路情報が更新され（Ｓ４５），処理がＳ４１に戻る。
【００５２】
さらに，情報入力手段１３を介してユーザによってメッセージが入力されないときには，最後に経路情報が更新されてから所定時間が経過したか否かが端末制御手段４３によって検出され（Ｓ４３），最後に経路情報が更新されてから所定時間が経過しているときには，位置検出手段４２によって移動体端末４の現在位置が検出され（Ｓ４４），経路情報生成手段４１によって経路情報が更新され（Ｓ４５），処理がＳ４１に戻る。また，最後に経路情報が更新されてから所定時問が経過していないときには処理がＳ４１に戻る。
【００５３】
以下，図６に示したフローチャートに基づいて，本発明の第２の実施の形態の情報配信システムに係る移動体端末で入力されたメッセージをサーバ装置に記憶させる動作の流れについて説明する。
【００５４】
図６（Ａ）は，移動体端末によるメッセージ，入力位置情報および経路情報の送信処理フローを示す図である。まず，移動体端末４において，情報入力手段１３を介してメッセージが入力され（Ｓ５１），位置検出手段４２によって移動体端末４の現在位置が検出され（Ｓ５２），経路情報生成手段４１によって経路情報が更新され（Ｓ５３），入力情報が位置検出手段４２によって生成される（Ｓ５４）。そして，情報入力手段１３を介して入力されたメッセージと位置検出手段４２によって生成された入力位置情報と経路情報生成手段４１によって生成された経路情報とが端末通信手段１６を介してサーバ装置５に送信される（Ｓ５５）。
【００５５】
図６（Ｂ）は，サーバ装置によるメッセージ，入力位置情報および経路情報の記憶処理フローを示す図である。サーバ装置５において，移動体端末４によって送信されたメッセージと入力位置情報と経路情報とがサーバ通信手段２６を介して受信され（Ｓ６１），メッセージが入力位置情報および経路情報と関連付けられてメッセージ記憶手段２３に記憶される（Ｓ６２）。
【００５６】
以下，図７に示したフローチャートに基づいて，本発明の第２の実施の形態の情報配信システムに係るサーバ装置に記憶された情報およびメッセージを移動体端末に配信する動作の流れについて説明する。
【００５７】
図７（Ａ）は，移動体端末による現在位置情報および経路情報の送信処理フローを示す図である。まず，移動体端末４において，ユーザによって押下検出手段１２が有するボタンが押下されたか否かが押下検出手段１２によって検出され（Ｓ７１），ユーザによって押下検出手段１２が有するボタンが押下されたときに，位置検出手段４２によって移動体端末４の現在位置が検出され（Ｓ７２），経路情報生成手段４１によって経路情報が更新され（Ｓ７３），現在位置情報が位置検出手段４２によって生成される（Ｓ７４）。そして，端末通信手段１６を介して現在位置情報と経路情報生成手段４１によって生成された経路情報とがサーバ装置５に送信される（Ｓ７５）。そして，移動体端末４は，端末通信手段１６を介してサーバ装置５が抽出した情報およびメッセージを受信し，受信した情報およびメッセージを表示手段１５に表示する（Ｓ７６）。
【００５８】
図７（Ｂ）は，サーバ装置２による抽出した情報およびメッセージの送信処理フローを示す図である。サーバ装置５において，サーバ通信手段２６を介して現在位置情報および経路情報が受信され（Ｓ８１），移動体端末４の現在位置の近傍の位置を表す位置情報が関連付けられた情報が記憶手段２１に記憶された情報の中から情報抽出手段２２によって抽出され，現在位置情報によって表される位置の近傍の位置を表す入力位置情報が関連付けられ，かつ，現在位置情報とともに送信された経路情報によって表される経路と類似の経路を表す経路情報が関連付けられたメッセージがメッセージ記憶手段２３に記憶されたメッセージの中からメッセージ抽出手段５１によって抽出される（Ｓ８２）。
【００５９】
そして，情報抽出手段２２およびメッセージ抽出手段５１によって抽出された情報およびメッセージがサーバ通信手段２６を介して現在位置情報を送信した移動体端末４に送信される（Ｓ８３）。
【００６０】
以上説明したように本発明の第２の実施の形態の情報配信システムは，本発明の第１の実施の形態の情報配信システムの効果に加えて，さらに，サーバ装置５によって配信されるものに，類似した経路を辿って移動したまたは移動している他の移動体端末４によってサーバ装置５に送信されたメッセージが含まれる。このため，それぞれ類似した経路を辿って移動したまたは移動しているユーザ間の情報の交換を行わせることができ，娯楽性および利便性を向上させることができる。
【００６１】
なお，本発明の第２の実施の形態の情報配信システムにおいて，経路情報は，移動体端末４によって生成および更新されていたが，サーバ装置５は，移動体端末４の現在位置を表す情報を蓄積し経路情報を生成および更新するように構成されてもよい。この場合にあっては，移動体端末４は，所定時間ごとに現在位置を表す情報をサーバ装置５に送信するように構成されてもよい。
【００６２】
さらに，本発明の各実施の形態の情報配信システムは，移動体端末が，電子メール機能と移動体端末からサーバ装置に予め自端末の識別情報とメールアドレスとを登録する機能とを有し，サーバ装置がメール送信機能を有することによって，以下のようなことも可能となる。
【００６３】
第１の移動体端末がサーバ装置に送信した質問等のメッセージに対して第２の移動体端末が返事のメッセージをサーバ装置に送信した場合に，第１の移動体端末が質問等のメッセージを送信した位置の近傍から離れた場所に位置していたとしても，第２の移動体端末によって送信された返事のメッセージを受信することができる。
【００６４】
特定の時刻，特定の場所において，ユーザによってボタンが押下されて現在位置情報をサーバ装置に送信した複数の移動体端末に対して，例えば，シークレットライブ（音楽イベント情報），シークレットバーゲン（お買物情報）などを送信して，娯楽性を向上させることができる。
【００６５】
なお，本発明の各実施の形態の情報配信システムは，各移動体端末に予め情報配信システムへの加入の手続を行わせるようになっているものとする。また，各移動体端末がメッセージの入力，もしくは，情報またはメッセージの表示を行う際に必要となるソフトウェアは，情報配信システムヘの加入時に移動体端末にインストールされるのでもよいし，逐次移動体端末に配信されるのでもよい。
【００６６】
【発明の効果】
以上説明したように，本発明は，移動体端末において情報が必要なときに情報が必要な場所で必要な情報を簡便に取得することができる情報配信システムを提供することができるものである。
【図面の簡単な説明】
【図１】本発明の第１の実施の形態の情報配信システムの構成を示す図である。
【図２】移動体端末で入力されたメッセージをサーバ装置に記憶させる動作の流れを示す図である。
【図３】サーバ装置に記憶された情報およびメッセージを移動体端末に配信する動作の流れを示す図である。
【図４】本発明の第２の実施の形態の情報配信システムの構成を示す図である。
【図５】移動体端末において経路情報を更新する動作の流れを示す図である。
【図６】移動体端末で入力されたメッセージをサーバ装置に記憶させる動作の流れを示す図である。
【図７】サーバ装置に記憶された情報およびメッセージを移動体端末に配信する動作の流れを示す図である。
【符号の説明】
１，４  移動体端末
２，５  サーバ装置
３  ネットワーク
１１，４２  位置検出手段
１２  押下検出手段
１３  情報入力手段
１４，４３  端末制御手段
１５  表示手段
１６  端末通信手段
２１  記憶手段
２２  情報抽出手段
２３  メッセージ記憶手段
２４，５１  メッセージ抽出手段
２５  サーバ制御手段
２６  サーバ通信手段
４１  経路情報生成手段
【図１】
2004341758.tif 000003
【図２】
2004341758.tif 000004
【図３】
2004341758.tif 000005
【図４】
2004341758.tif 000006
【図５】
2004341758.tif 000007
【図６】
2004341758.tif 000008
【図７】
2004341758.tif 000009